(57)【要約】有酸素運動を含む運動等の物理的活動中に保持者の掌内にしっかりと保持されかつ中心に置かれ得る小型で軽量のウェイトユニットのためのシステムおよび方法。本ウェイトユニットはまた、運動中、ウェイトを掌の中に固着し、ワークアウトの具体的所望の重量および強度を達成するための特徴を含む。いくつかの実施形態では、ウェイトユニットは、丸みを帯びたまたは楕円の形状にあり、楕円形状の一端から他端まで延在する突出部（「フィン」または「こぶ」）を有し得る。
2021527469.tif 000002
【特許請求の範囲】
【請求項１】
手持ち式かつ掌の中心に置かれるように適合される運動用ウェイトユニットであって、
第１の端部および第２の端部と、中心部分と、前記第１の端部および前記第２の端部を通る中心軸とを有する伸長主要本体と、
前記主要本体の外側表面から離れるように延在し、基部に沿って、前記主要本体の第１の端部から前記主要本体の第２の端部まで延在する突出部と
を備える、運動用ウェイトユニット。
【請求項２】
前記突出部の幅は、前記中心部分における前記主要本体の直径より小さい、請求項１に記載の運動用ウェイトユニット。
【請求項３】
前記突出部は、前記突出部の上縁に沿って弧形状を形成する、請求項１に記載の運動用ウェイトユニット。
【請求項４】
ハンドストラップ、Ｖｅｌｃｒｏ（登録商標）ラップ、ネオプレングリップ、ゴム製可撓性ラップ、ゴム製ゲル充填グリップ、およびグローブのうちの少なくとも１つをさらに含む、請求項１に記載の運動用ウェイトユニット。
【請求項５】
ハンドストラップ、Ｖｅｌｃｒｏ（登録商標）ラップ、ネオプレングリップ、ゴム製可撓性ラップ、およびゴム製ゲル充填グリップのうちの少なくとも１つは、１つまたは複数のフィンガループを含む、請求項４に記載の運動用ウェイトユニット。
【請求項６】
除去可能なフィンガループグリップストラップをさらに含む、請求項１に記載の運動用ウェイトユニット。
【請求項７】
前記除去可能なフィンガループグリップストラップは、前記主要本体上の２つのねじ孔の中に螺入される２つのねじを用いて、前記主要本体に添着される、請求項６に記載の運動用ウェイトユニット。
【請求項８】
前記除去可能なフィンガループグリップストラップは、２つの伸長開口部を含む、請求項６に記載の運動用ウェイトユニット。
【請求項９】
ＲＦＩＤ追跡タグおよびマイクロチップ追跡デバイスのうちの少なくとも１つをさらに含む、請求項１に記載の運動用ウェイトユニット。
【請求項１０】
前記主要本体は、その中に係止され得るまたはそこから除去され得る様々な挿入用ウェイトを伴うウェイトシェルを備える、請求項１に記載の運動用ウェイトユニット。
【請求項１１】
１つまたは複数のモーションセンサをさらに含む、請求項１に記載の運動用ウェイトユニット。
【発明の詳細な説明】
【技術分野】
【０００１】
（分野）
本開示は、手持ち式運動用ウェイトに関し、より具体的には、ウェイトをユーザの手の掌の中心に置かれることを可能にする具体的人間工学的形状を有し、かつ、有酸素運動中、ウェイトを掌内に固着させ、ワークアウトの具体的所望の重量および強度を達成するための特徴を有するハンドウェイトに関する。
【背景技術】
【０００２】
（背景）
有酸素運動は、常に、減量し、体調を増進させ、健康的生活様式を維持するための効果的方法であるとされている。しかしながら、経時的に、身体は、体力および持久力の両方を増加させることによって、有酸素運動に慣れ、同一活動を実施することをますます容易にさせる。したがって、有酸素運動中、高レベルの身体運動を維持するために、重量または抵抗が、経時的に追加または増加され、身体の体調増進について行かなければならない。
【０００３】
携行式ウェイトを任意の有酸素活動に追加することは、そのような重量または抵抗の追加を遂行するための優れた方法である。最小量の携行式ウェイトでさえ活動に追加されるとより困難となる多種多様な屋内および屋外運動が、存在する。心拍数、筋肉活動、および１時間あたりの総カロリー燃焼量を増加させることが、物理的活動中、手におけるダンベルの追加または重量の種々の保持方法を用いることで可能となる。
【０００４】
従来のダンベルは、中心グリップバーにウェイトブロックが両端に取り付けられ、重量が大きくなるほど外側ウェイトブロックまたは区画も大きくなるように形成される単一中実ユニットとして、本質的に形成される。したがって、これらの従来のダンベル形状は、それらが、多くの場合、運動の形態を改変し、ウェイトをともに衝突させるまたは身体と接触させるリスクを限定するため、物理的活動（特に、有酸素活動）中、有利ではない。加えて、従来のダンベル形状は、ある腕の移動または動きの間に有酸素機械（例えば、トレッドミルまたはステップクライマー）と接触し得、運動中にヘッドホンワイヤに引っかかり得るまたは絡まり得、かつグループで運動しているとき、それらが保持者によって前後に揺動されるため、ウォーキングまたはランニングパートナーのダンベルまたは身体に衝打し得る。
【０００５】
したがって、上記に述べられたおよび他の不利点を伴うことなくウェイトの大部分が掌の中心に置かれる手持ち式ウェイトシステムの必要性が存在する。単一ウェイトユニットが手の掌の中心に置かれることに加え、また、ウェイトユニットが、物理的活動中、掌の中にしっかりと保持され得るとき、ユーザにとって有利である。
【発明の概要】
【課題を解決するための手段】
【０００６】
（要旨）
本明細書に提供されるものは、有酸素運動を含む運動等の物理的活動中に保持者の掌にしっかりと保持されかつ中心に置かれ得る小型で軽量のウェイトユニットを提供するためのシステム、デバイス、および方法の例示的実施形態である。ウェイトユニットはまた、運動中、ウェイトを掌の中に固着し、ワークアウトの具体的所望の重量および強度を達成するための特徴を含む。
【０００７】
概して、本開示は、ユーザによって保持されると掌にわたって中心に置かれる運動用ウェイトユニットを提供する。いくつかの実施形態では、ウェイトユニットは、丸みを帯びたまたは楕円の形状にあり、楕円形状の一端から他端まで延在する突出部（「フィン」または「こぶ」）を有し得る。掌にわたって中心に置かれる丸みを帯びた卵形または楕円形状のウェイトユニットは、ユーザが、その拳が（ダンベル等の）中心に置かれる薄いバーグリップの周囲をきつく握る傾向を低減させることに役立つことができ、したがって、物理的活動（例えば、有酸素運動）中の血圧上昇のリスクを低減または排除することができる。したがって、個人が、トレーニング上の利点を追加するために、ウェイトを用いて物理的活動（例えば、運動、ウォーキング、またはランニング）を実施することを選ぶとき、人間工学的にかつしっかりと手の掌の中心に置かれるように、そして、長期の物理的活動（例えば、有酸素運動）中にそれを軽くかつ優しく保持するために具体的に設計されるウェイトを保持することが最も有利である。
【０００８】
いくつかの実施形態では、ウェイトユニットは、第１の端部および第２の端部と、中心部分と、第１の端部および第２の端部を通る中心軸とを有する伸長主要本体と、主要本体の外側表面から離れるように延在され、基部に沿って、中実ユニットの第１の端部から中実ユニットの第２の端部まで延在する突出部とを備えてもよい。突出部の幅は、主要本体の直径より小さくてもよい。いくつかの実施形態では、突出部は、突出部の上縁に沿って、弧形状を形成する。
【０００９】
いくつかの実施形態では、運動用ウェイトユニットは、ハンドストラップ、Ｖｅｌｃｒｏ（登録商標）ラップ、ネオプレングリップ、ゴム製可撓性ラップ、ゴム製ゲル充填グリップ、およびグローブのうちの少なくとも１つをさらに含んでもよい。いくつかの実施形態では、ハンドストラップ、Ｖｅｌｃｒｏ（登録商標）ラップ、ネオプレングリップ、ゴム製可撓性ラップ、およびゴム製ゲル充填グリップは、１つまたは複数のフィンガループを含んでもよい。
【００１０】
いくつかの実施形態では、運動用ウェイトユニットは、除去可能なフィンガループグリップストラップをさらに含んでもよい。除去可能なフィンガループグリップストラップは、主要本体上の２つのねじ孔の中に螺入される２つのねじを用いて、主要本体に添着されてもよい。除去可能なフィンガループグリップストラップは、２つの伸長開口部を含み得、２つの伸長開口部を通して２つのねじが挿入され得る。開口部の伸長形状は、フィンガループの高さが調節可能にされることを可能にし得る。
【００１１】
この要旨は、下記の詳細な説明にさらに説明される概念の選択を簡略化された形態で導入するために提供される。この要旨は、請求される主題の重要な特徴または不可欠な特徴を識別することを意図するものではなく、請求される主題の範囲を限定するために使用されることを意図するものでもない。さらに、本発明は、詳細な説明および／または本書の他の節に説明される具体的実施形態に限定されないことに留意されたい。そのような実施形態は、例証目的のためだけに本明細書に提示される。付加的実施形態は、本明細書に含有される教示に基づいて、当業者に明白となる。
【図面の簡単な説明】
【００１２】
本明細書に組み込まれて本明細書の一部を構成する付随の図面は、選択された実施形態の例証目的のためのものにすぎず、本発明の原理を解説する役割を果たす。これらの図面は、すべての可能性として考えられる実装を説明するものではなく、本開示の範囲を限定することを意図するものでもない。
【００１３】
【図１】図１は、いくつかの実施形態による、運動用ウェイトユニットの例示的斜視図を図示する。
【００１４】
【図２】図２は、いくつかの実施形態による、運動用ウェイトユニットの例示的側面図を図示する。
【００１５】
【図３】図３は、いくつかの実施形態による、１８０度上向きに転回された図２のウェイトユニットを示す、運動用ウェイトユニットの別の例示的側面図を図示する。
【００１６】
【図４】図４は、いくつかの実施形態による、運動用ウェイトユニットの例示的正面図を図示する。
【００１７】
【図５】図５は、いくつかの実施形態による、１８０度下向きに転回された図４のウェイトユニットを示す、運動用ウェイトユニットの別の例示的正面図を図示する。
【００１８】
【図６】図６は、いくつかの実施形態による、ユーザの手によって保持されている運動用ウェイトユニットの例示的図を図示する。
【００１９】
【図７】図７は、いくつかの実施形態による、ウェイトユニットのためのハンドストラップの例示的側面図を図示する。
【００２０】
【図８】図８は、いくつかの実施形態による、ウェイトユニットのためのハンドストラップまたはラップの例示的正面図を図示する。
【００２１】
【図９】図９は、いくつかの実施形態による、ハンドストラップまたはラップで包み込まれたウェイトユニットの例示的斜視図を図示する。
【００２２】
【図１０】図１０は、いくつかの実施形態による、ハンドストラップまたはラップで包み込まれ、ユーザの手によって保持されている運動用ウェイトユニットの例示的図を図示する。
【００２３】
【図１１】図１１は、いくつかの実施形態による、取外可能フィンガループを伴う運動用ウェイトユニットの例示的平面図を図示する。
【００２４】
【図１２】図１２は、いくつかの実施形態による、取り付けられた取外可能フィンガループを伴う運動用ウェイトユニットの例示的側面図を図示する。
【発明を実施するための形態】
【００２５】
（詳細な説明）
本開示は、物理的活動（例えば、運動）中に、保持者の掌にしっかりと保持されかつ中心に置かれることができる小型で軽量のウェイトユニットのためのシステム、デバイス、および方法に関する。
【００２６】
便宜上、かつ例証の明確性のために、適切であると見なされる場合、参照番号は、対応するまたは類似する要素またはステップを示すために図間で繰り返され得ることを理解されたい。加えて、多数の具体的詳細が、本明細書に説明される実施形態の完全な理解を提供するために記載される。しかしながら、本明細書に説明される実施形態は、これらの具体的詳細を伴うことなく実践されてもよいことが、当業者によって理解される。他の事例では、周知の方法、手順、および構成要素は、本明細書に説明される実施形態を曖昧にしないように、詳細に説明されていない。さらに、この説明は、いかようにも、本明細書に説明される実施形態の範囲の限定ではなく、むしろ、単に、本明細書に説明される種々の実施形態の実装を説明するものとして見なされるべきである。
【００２７】
図１は、本開示のいくつかの実施形態による、運動用ウェイトユニット１００の例示的斜視図を図示する。いくつかの実施形態では、本開示は、丸みを帯びたまたは楕円形状の主要本体１１０内に小型で軽量のウェイトユニット１００を提供し得る。主要本体は、端部１１２および端部１１４と、２つの端部を通る中心軸と、２つの端部間の中心部分とを含む。ウェイトユニットは、伸長突出部（「フィン」または「こぶ」）１２０を含み得、伸長突出部１２０は、基部１２４において、ウェイトユニット主要本体の片側から突出し、本体の一端１１２から本体の他端１１４まで延在する。伸長突出部１２０は、中心部分における主要本体１１０の直径より小さい幅Ｗを有し、主要本体１１０の表面と伸長突出部１２０との間に空間Ｓを形成し得る。
【００２８】
伸長突出部１２０は、突出部１２０の上部１２２（上部１２２は、主要本体１１０から離れた縁上にある）に弧形状を有し得る。伸長突出部１２０を提供する１つの利点は、ウェイトユニット主要本体１１０の直径を低減させることであり得、例えば、本体１１０は、本体から突出部１２０の上部までの空間Ｓを網羅するように延在する必要はない。代替としてまたは加えて、伸長突出部１２０を提供する別の利点は、より多くの材料をウェイトユニットに追加することであり得る。
【００２９】
図２は、本開示のいくつかの実施形態による、ウェイトユニット１００の底部における伸長突出部１２０を示す、運動用ウェイトユニット１００の例示的側面図を図示する。
【００３０】
図３は、本開示のいくつかの実施形態による、伸長突出部１２０が上部に示されるように１８０度上向きに転回されている伸長突出部（「フィン」または「こぶ」）１２０を示す、運動用ウェイトユニット１００の例示的側面図を図示する。図３はまた、ウェイトユニットの例示的寸法を（インチで）図示する。ウェイトユニットの有利な寸法は、例えば、長さ（端部１１２から端部１１４まで）が、７０〜８５ｍｍの範囲であり、主要本体の最大部分における主要本体１１０の直径は、例えば、３０〜５０ｍｍであり、快適または自然なグリップを超えることなく具体的ウェイトインクリメントに到達するために、サイズおよび形状を変動させ得る。突出部特徴１２０は、各端部１１２および１１４からウェイトユニットの長さに沿って延設され、中央で衝合し、弧を形成する。弧の有利な寸法は、例えば、幅（Ｗ）が約１０〜２５ｍｍ、基部１２４における長さ（Ｌ）が約６０〜８５ｍｍであり、最深点（突出部１２０の上部から基部１２４まで）における深度（ｄ）が５〜２５ｍｍであり得る。突出部１２０の体積は、材料（例えば、金属）と、ウェイトユニットの密度ならびに突出部の形状およびサイズとに応じて、例えば、０．２５〜０．７５ポンドのウェイトユニット（突出部を伴わない場合）の増加を表し得る。ウェイトユニットの寸法は、ウェイトユニットが、ウェイトユニットをその手の中に保持しているユーザの掌の中心に置かれることを可能にし得る。したがって、当業者は、示される寸法が、実施例であり、限定ではないことを理解する。
【００３１】
図４は、本開示のいくつかの実施形態による、運動用ウェイトユニット１００の例示的正面図を図示する。図４はまた、ウェイトユニット主要本体１１０の直径（Ｄ）の例示的寸法（例えば、１．６６インチ）を図示する。ウェイトユニットの寸法は、ウェイトユニットが、ウェイトユニットをその手の中に保持しているユーザの掌の中心に置かれることを可能にし得る。したがって、当業者は、示される寸法が、実施例であり、限定ではないことを理解する。
【００３２】
図５は、本開示のいくつかの実施形態による、伸長突出部１２０が底部に示されるように１８０度下向きに転回された図４のウェイトユニットを示す、運動用ウェイトユニット１００の別の例示的正面図を図示する。
【００３３】
図６は、本開示のいくつかの実施形態による、ユーザの手によって保持されている運動用ウェイトユニット１００の例示的図を図示する。示されるように、突出部特徴１２０は、ウェイトユニット１００を囲繞する握り拳の開放領域間においてウェイトユニット１００から突出する。いくつかの例示的動作では、運動用ウェイトユニットが、ユーザの手６１０によって保持されているとき、ウェイトユニットの突出部は、手が閉鎖されているときのユーザの指と親指との間の間隙にフィットし得る。突出部はまた、手がウェイトユニットの周囲に完全に閉鎖されると、親指の中手骨に沿って、増加されるグリップ支持を可能にし得る。これは、物理的活動中、ウェイトユニットを手の中に安定化させ、また、ユニットの重量を複数の骨を横断して分散させ、非平衡重量分布または強制されるきつい把持に起因する傷害を限定するため、重要である。述べられたように、人間工学的に掌の中心に置かれるハンドウェイトユニットは、突出部（またはフィンまたはこぶ）特徴を利用して、ユーザの手の握持直径を増加させることなく、ウェイトユニットの体積を増加させ得る。いくつかの実施形態では、間隙および突出部の利用は、ウェイトユニットへの体積および重量の追加を可能にする。突出部は、親指のためのさらなる支持を提供し得る。
【００３４】
いくつかの実施形態では、ウェイトユニットは、適した金属または合金から作製されてもよく、重量は、提供される臨界寸法に基づいて徐々に変動する。例えば、使用される金属に基づいて、重量は、以下となり得る。
６．８５〜７．７５ｇ／ｃｍ３の密度を伴う鋳造鉄  −  ３／４〜１．５ポンド
７．９５ｇ／ｃｍ３の密度を伴うステンレス鋼  −  １．２５〜２．０ポンド
８．５ｇ／ｃｍ３の密度を伴う真鍮  −  １．５〜２．５ポンド
８．５〜８．９ｇ／ｃｍ３の密度を伴う青銅  −  １．５〜２．５ポンド
８．９ｇ／ｃｍ３の密度を伴う銅  −  １．５〜２．５ポンド
９．７９／ｃｍ３の密度を伴うビスマス  −  １．７５〜２．７５ポンド
【００３５】
いくつかの実施形態では、所望のウェイトユニットインクリメントおよび原材料のコストに応じて、任意の数の未加工の金属または合金の組み合わせが、それを構築するために使用されてもよい。サイズおよび形状は、材料組成および鍛造または処理後の収縮のために調節するために、若干、改変されてもよい。突出部特徴の有利な使用は、より高密度の金属（例えば、タングステンまたはタングステン合金）を利用することなく体積および重量を増加させるために、安価な金属または合金を可能にし得る。
【００３６】
いくつかの実施形態では、本開示は、高速の腕移動（例えば、有酸素運動、短距離走、または水泳）中、掌の中心に置かれるウェイトユニットをしっかりと保持するために、軽量ハンドストラップ、Ｖｅｌｃｒｏ（登録商標）ラップ、ネオプレングリップ、ゴム製可撓性ラップ、ゴム製ゲル充填グリップ、またはグローブを含んでもよい。図７は、本開示のいくつかの実施形態による、ゴム製可撓性ラップ７００の例示的側面図を図示する。ラップ７００は、１つまたは複数のフィンガループ７１０と、ラップ本体７２０とを含んでもよい。図７は、１本用フィンガループの実施例を示す。より大きいループは、１本を上回る指にフィットし得る。ラップ本体７２０は、ウェイトユニットの周囲に除去可能かつフィットして巻着し得る（図９参照）。
【００３７】
図７はまた、ラップ（またはグリップ）に沿った隆起した小塊７３０のパターンを示し、いくつかの実施形態では、特にウェイトユニットが高強度の動きと併用されるとき（例えば、大量の発汗が呈される、ランニング、シャドーボクシング、およびプライオメトリックエクササイズのような物理的運動中）、手と接触するための付加的面積を提供し、より大きい表面接着力を提供する。小塊は、任意の数、サイズ、または形状に限定されない。使用中に手からの発汗の除去を補助するために、一連の孔７４０またはくぼみもしくは隆起された線（図示せず）もまた、使用中に手における発汗蓄積の排出または低減を可能にするために使用されてもよい。これらの孔７４０はまた、ウェイトユニットを挿入し、二重目的および用途を提供するとき、付加的伸縮性または撓曲をラップに提供し得る。
【００３８】
フィンガループ７１０のサイズは、種々の指サイズ（リングサイズであり得る）にフィットするように、または、一度に数本の指を収容するように変化してもよい。加えて、グリップまたはラップは、使用される材料（例えば、シリコーンゴム）内に具体的撓曲または伸縮量を伴う汎用グリップまたはラップとして構築され、複数の指サイズ（リングサイズ）がフィットし、グリップを手の中に快適に保持することを可能にしてもよい。この特定の有利な汎用グリップのためのシリコーンゴム硬度の範囲は、硬度スケール上で４０〜６０ショアＡであってもよい。この硬度の範囲は、グリップが、組立中、ウェイトユニットにわたって伸縮されることを可能にし得るだけではなく、また、様々な指サイズを伴うユーザが、使用中、指または複数の指への血流を遮断することなく、ユニットを手の中に快適に保持することを可能にし得る。シリコーンゴムまたは同等物はまた、様々な色および／または透明度のゴムによって構築されてもよい。これは、特に、ユーザが、カラーグリップをカスタマイズすること、または、ロゴまたは名称がウェイトユニット本体上に彫刻または塗装されて見えることのいずれかを所望するときに有利である。ウェイトユニットをカスタマイズまたは商標化し、該ロゴまたは商標を可視にさせる能力は、スポーツまたは一般的フィットネスを横断して、他のフィットネス企業（例えば、ＮｉｋｅＴＭ、ＮｅｗＢａｌａｎｃｅＴＭ、またはＡｄｉｄａｓＴＭ）とのカスタム化または商標提携化をオファーするための重要な構成要素であり得る。
【００３９】
図７は、ゴム製可撓性ラップを示すが、他のラップまたはグリップもまた、１つまたは複数のフィンガループを含んでもよい。
【００４０】
図８は、本開示のいくつかの実施形態による、ゴム製可撓性ラップ７００の例示的正面図を図示する。
【００４１】
図９は、本開示のいくつかの実施形態による、ゴム製可撓性ラップ７００で包み込まれている（または巻着されている）ウェイトユニット１００の例示的図を図示する。
【００４２】
図１０は、本開示のいくつかの実施形態による、ゴム製可撓性ラップ７００で包み込まれ（または巻着され）、ユーザの手１０１０によって保持されている、運動用ウェイトユニット１００の例示的図を図示する。ユーザの手の中指１０２０の周囲に巻かれたフィンガループ７１０は、示されていない。
【００４３】
図１１は、本開示のいくつかの実施形態による、手持ち式運動用ウェイトユニット１１００を図示する。いくつかの実施形態では、手持ち式運動用ウェイトユニット１１００は、丸みを帯びた卵形または楕円形状のウェイトユニット主要本体１１０２と、ウェイトユニット主要本体１１０２に除去可能に添着され得るフィンガループグリップストラップ１１０４とを含んでもよい。いくつかの実施形態では、主要本体１１０２は、調節可能皮革ストラップ１１０４が、伸長開口部１１３０および１１３２を通したねじ１１２０によって主要本体１１０２に添着され得るように、２つのドリル孔１１１０および１１１２を含んでもよい。伸長開口部１１３０および１１３２は、ストラップ１１０４が調節可能となることを可能にする。いくつかの実施形態では、フィンガループグリップストラップ１１０４は、皮革から作製されてもよい。
【００４４】
図１２は、本開示のいくつかの実施形態による、フィンガループグリップストラップ１１０４を伴う手持ち式運動用ウェイトユニット１１００の例示的アセンブリを図示する。伸長開口部１１３０および１１３２は、ストラップ１１０４が主要本体１１０２に固着される前に、対応するドリル孔１１１０および１１１２に沿って摺動し、所望の高さＨがユーザの指にフィットすることを可能にし得る。この所望の高さは、各ユーザの指サイズへのカスタムフィットを可能にする。
【００４５】
いくつかの実施形態では、ストラップ１１０４は、運動中にストラップ１１０４がユーザの指を保持する一方でストラップ１１０４が主要本体１１０２に固着されたままであることを可能にする任意の他の適した機構によって、主要本体１１０２に添着されてもよい。
【００４６】
図１１および１２は、弧形状の突出部を伴わないウェイトユニット１１００を示すが、ウェイトユニット１１００はまた、上記に開示されるような弧形状の突出部を含んでもよい。
【００４７】
いくつかの実施形態では、突出部は、弧縁を含まなくてもよい。
【００４８】
いくつかの実施形態では、本開示の種々の実施形態のウェイトユニットは、弾力性プラスチック、ネオプレン、またはゴム材料でコーティングされ、有酸素運動中におけるその適切な把持または保持を確実にし、活動中に増進された汗の蓄積による滑動効果を減少させ、使用後における石鹸および水を用いたウェイトユニットの容易な清掃を可能にし、使用中または清掃中においてウェイトユニットのチップまたはタグを損傷から保護し、落下されるまたは別の物体によって衝打される場合、ウェイトが引っ掻き傷または損傷を受けないように保護してもよい。
【００４９】
いくつかの実施形態では、本開示は、把持点だけではなく、特殊または有意義な方法において、企業のロゴまたはスローガン、大学の色およびロゴ、ＣｕｒｅＴＭのためのＳｕｓａｎ  Ｋｏｍｅｎ  Ｒａｃｅ等の特殊イベントを象徴する色、ならびに個人に関する任意の他の印刷または色を含む、市場化または商標化機会を加えるために、種々の色またはプリントにおいて、弾力性プラスチックまたはゴムから作製されるウェイトユニットのための耐汗カバーまたはラップを含んでもよい。
【００５０】
いくつかの実施形態では、ウェイトユニットは、様々な金属または鋳造層の内側コアおよび外側コアをモジュール式ユニット内に有し、ユニットの具体的重量および形状を達成し、かつ、より軟質であるがより密度の高い金属（例えば、鉛）の周囲に障壁または保護層を作成してもよい。
【００５１】
いくつかの実施形態では、本開示は、ウェイトユニット内に埋設され得、かつ、デバイス（例えば、スマートフォン、スマートウォッチ、または類似デバイス）に通信し、上半身の移動および／または運動中に個々のまたは組み合わせられた連続重量値を自動的に識別するＲＦＩＤ追跡タグ／マイクロチップまたは他の追跡デバイスもしくはそのシステムを提供してもよい。
【００５２】
いくつかの実施形態では、ウェイトユニット（例えば、主要本体）は、物理的活動中に適宜その中に係止されてまたはそこから除去されて重量を増加または減少させ得る様々な挿入用ウェイトを伴うウェイトシェルを有し得る。
【００５３】
いくつかの実施形態では、本開示は、ユーザからの入力（例えば、身長）と組み合わせて、ユーザによって実施される各移動のＸ、Ｙ、Ｚ軸点（ロール、ピッチ、およびヨー）および回転加速データ点を算出するアルゴリズムを通してユーザの個々の上半身の動きを追跡するモーション追跡センサ（例えば、ジャイロスコープおよび加速器）を、手首または前腕上に装着されるウェイトユニット、スマートウォッチ、または他の監視デバイス内に含んでもよい。
【００５４】
いくつかの実施形態では、ジャイロスコープおよび加速器ユニットから収集されるデータは、連続保持重量値と併せて、読取および理解が容易であるように、スマート監視デバイス上でユーザに可視であるか、またはスマートフォン、タブレット、ラップトップ、もしくはコンピュータにアップロードされるかのいずれかであってもよい。そのようなフォーマットは、例えば、グラフ、チャート、カテゴリおよび筋群別の腕の総運動量、１時間あたりで持ち上げられた総ポンド数、持ち上げられた総ポンド数、筋群あたりで持ち上げられた総ポンド数、個々の運動あたりで持ち上げられた総ポンド数等を含んでもよい。いくつかの実施形態では、ジャイロスコープおよび加速器から発生される総データは、変動する保持されるウェイトと併せて、スマート監視デバイス自体上に表示されるか、または、強度およびパフォーマンスの色によって識別される運動の強度および該運動を実施するために使用される筋群とともに、アニメーション化された男性もしくは女性のデジタル身体表示を描写するラップトップ、タブレット、電話、またはコンピュータにアップロードされるかのいずれかにおいて、全体的分析を提供するものとする。例えば、個人が、その有酸素活動のほぼ全ての間、二頭筋カールを実施した場合、デジタル身体は、二頭筋筋肉において、高強度に関する赤色を示し、前腕筋群において、中強度に関する黄色を示し、残りの上半身筋群において、低パフォーマンスまたは強度に関する緑色を示す。さらに、ディスプレイウィンドウ上での指のスワイプを用いてデジタル身体を回転させることによって、デジタル身体は、回転し、個人の背中上に位置する筋群を示し、上半身筋群全体を完成させてもよい。デジタル身体はまた、下半身筋群を含み、センサから発生されるデータを利用して、有酸素運動（例えば、ウォーキング、ジョギング、ランニング、階段昇降、またはハイキング等）中、筋肉活動を追跡してもよい。
【００５５】
いくつかの実施形態では、収集されるデータは、計算され、物理的活動中にユーザによって燃焼されたカロリーを判定してもよい。いくつかの実施形態では、デバイスは、以下のように、Ｈａｒｒｉｓ−Ｂｅｎｅｄｉｃｔ法を使用してもよい。
ＢＭＲ男性：＝６６＋（６．２３×体重（ポンド））＋（１２．７×身長（インチ））−（６．８×年齢）
ＢＭＲ女性：＝６５５＋（４．３５×体重（ポンド））＋（４．７×身長（インチ））−（４．７×年齢）
Ｈａｒｒｉｓ−Ｂｅｎｅｄｉｃｔ式は、以下のようにＭｉｆｆｌｉｎおよびＳｔ  Ｊｅｏｒによって１９９０年に改定された。
男性ＢＭＲ＝（１０×体重（ｋｇ））＋（６，２５×身長（ｃｍ））−（５×年齢（歳））＋５
女性ＢＭＲ＝（１０×体重（ｋｇ））＋（６，２５×身長（ｃｍ））−（５×年齢（歳））−１６１
【００５６】
例えば、Ｃ＝（０．４４７２×Ｈ−０．０５７４１×Ｗ＋０．０７４×Ａ−２０．４０２２）×Ｔ／４．１８４とする。Ｃは、ユーザが燃焼したカロリー数であり、Ｈは、ユーザの平均心拍数であり、Ｗは、ユーザの体重であり、Ａは、ユーザの年齢であり、Ｔは、分単位のユーザの運動セッションの長さである。ユーザが、２８歳の女性であり、体重が、１４６ポンドであると仮定する。３６分続いた運動セッション中のユーザの平均心拍数は、１３８ｂｐｍであった。ユーザが燃焼したＣ＝（０．４４７２×１３８−０．０５７４１×１４６＋０．０７４×２８−２０．４０２２）×３６／４．１８４＝３０１カロリーである。
【００５７】
いくつかの実施形態では、Ｋａｔｃｈ＆ＭｃＡｒｄｌｅ法が、以下のように使用され得る。
ＢＭＲ（男性＋女性）＝３７０＋（２１．６×除脂肪量（ｋｇ））
除脂肪量＝体重（ｋｇ）−（体重（ｋｇ）×体脂肪率％）１ｋｇ＝２．２ポンドであり、したがって、ユーザの体重を２．２で除算し、ユーザの体重（ｋｇ）を求める。
活動乗数（ＨＢ＋ＫＡ法は両方とも、同一活動乗数を使用する）
殆どまたは全く運動なし、内勤業務
１．２×ＢＭＲ
軽い運動、スポーツ１〜３時間／週
１．３７５×ＢＭＲ
中程度の運動、スポーツ３〜５時間／週
１．５５×ＢＭＲ
激しい運動、スポーツ６〜７時間／週
１．７２５×ＢＭＲ
【００５８】
また、本明細書に提供される任意の実施形態に関して説明される全ての特徴、要素、構成要素、機能、およびステップは、自由に組み合わせ可能であり、かつ任意の他の実施形態からのもので代用可能であるように意図されることに留意されたい。ある特徴、要素、構成要素、機能、またはステップが、一実施形態のみに関して説明される場合、その特徴、要素、構成要素、機能、またはステップは、他の態様で明示的に述べられない限り、本明細書に説明される全ての他の実施形態と併用されることができることを理解されたい。この段落は、したがって、以下の説明が、特定の事例において、そのような組み合わせまたは代用も可能性として考えられることを明示的に述べない場合でも、随時、異なる実施形態からの特徴、要素、構成要素、機能、およびステップを組み合わせる、または一実施形態からの特徴、要素、構成要素、機能、およびステップを別のもので代用することの、請求項の導入のための先行する基礎および記述支援としての役割を果たす。あらゆる可能性として考えられる組み合わせおよび代用の列挙を表すことは、特に、あらゆるそのような組み合わせおよび代用の許容性が当業者によって容易に認識されることを前提として、過度に負担であることが明示的に確認される。
【００５９】
本明細書に開示される実施形態が、メモリ、記憶装置、および／またはコンピュータ可読媒体を含むまたはそれとの関連付けで動作する限りにおいて、そのメモリ、記憶装置、および／またはコンピュータ可読媒体は、非一過性である。故に、メモリ、記憶装置、および／またはコンピュータ可読媒体が１つまたは複数の請求項によって網羅される限りにおいて、そのメモリ、記憶装置、および／またはコンピュータ可読媒体は、非一過性にすぎない。
【００６０】
実施形態は、種々の修正および代替形態を受け得るが、その具体的実施例が、図面に示されており、本明細書において詳細に説明される。しかしながら、これらの実施形態は、開示される特定の形態に限定されず、対照的に、これらの実施形態は、本開示の精神内に該当する全ての修正、均等物、および代替を網羅することになることを理解されたい。さらに、実施形態の任意の特徴、機能、ステップ、または要素が、その範囲内に該当しない特徴、機能、ステップ、または要素によって請求項の発明範囲を画定する負の限定とともに、請求項内に列挙されるまたは請求項に追加され得る。
【００６１】
本開示は、本明細書に説明される特定の実施形態に限定されず、したがって、当然ながら、変動し得ることを理解されたい。また、本明細書で使用される専門用語は、特定の実施形態のみを説明する目的のためのものであり、限定することを意図するものではないことを理解されたい。
【００６２】
本明細書および添付の請求項で使用される場合、単数形「ａ」、「ａｎ」、および「ｔｈｅ」は、文脈によって他の態様で明確に決定付けられない限り、複数参照を含む。
【００６３】
一般に、「〜に結合される」、および「〜に結合するために構成される」、および「〜に固着する」、および「〜に固着するために構成される」、および「〜と連通する」（例えば、第１の構成要素が、第２の構成要素「に結合される」、または「に結合するために構成される」、または「に固着するために構成される」、または「と連通する」）等の用語は、本明細書では、２つ以上の構成要素または要素間の構造、機能、機械的、電気、信号、光学、磁気、電磁、イオン、または流体関係を示すために使用される。したがって、１つの構成要素が第２の構成要素と連通すると言えるという事実は、付加的構成要素が、第１の構成要素と第２の構成要素との間に存在し、および／またはそれと動作可能に関連付けられた、もしくは係合される可能性を除外することを意図するものではない。
【００６４】
本明細書で使用される場合、第１のエンティティと第２のエンティティとの間に設置された用語「および／または」は、（１）第１のエンティティ、（２）第２のエンティティ、および（３）第１のエンティティおよび第２のエンティティのうちの１つを意味する。「および／または」とともに列挙された複数のエンティティも、同様に、すなわち、そのように等位接続されたエンティティのうちの「１つまたは複数のもの」として解釈されるべきである。「および／または」節によって具体的に識別されるエンティティ以外の他のエンティティも、随意に、具体的に識別されたそれらのエンティティに関連するかまたは関連しないかにかかわらず、存在し得る。したがって、非限定的実施例として、「Ａおよび／またはＢ」の言及は、「〜を備える」等の非制限的言語と併用されるとき、一実施形態では、Ａのみ（随意に、Ｂ以外のエンティティを含む）、別の実施形態では、Ｂのみ（随意に、Ａ以外のエンティティを含む）、さらに別の実施形態では、ＡおよびＢの両方（随意に、他のエンティティを含む）を指すことができる。これらのエンティティは、要素、作用、構造、ステップ、動作、値、および同等物を指し得る。
【図１】
2021527469.tif 000003
【図２】
2021527469.tif 000004
【図３】
2021527469.tif 000005
【図４】
2021527469.tif 000006
【図５】
2021527469.tif 000007
【図６】
2021527469.tif 000008
【図７】
2021527469.tif 000009
【図８】
2021527469.tif 000010
【図９】
2021527469.tif 000011
2021527469.tif 000012
【図１０】
2021527469.tif 000013
2021527469.tif 000014
【図１１】
2021527469.tif 000015
【図１２】
2021527469.tif 000016
【国際調査報告】
2021527469.tif 000017